(57)【要約】  【課題】          ラベル接着能が使用実環境依存という根本的な問題を解消するため、人為的にラベルの粘着材が変性し難い環境を形成し、ラベルロール媒体の品質を長期間維持すること。  【解決手段】      ラベルロール媒体１０の紙管部１１に、ラベルロール媒体の使用温度域情報及び使用湿度域情報が設定されたメモリを有するＩＣチップと、メモリ情報を外部に出力できるアンテナとを備えるラベルロール媒体と、ラベルロール媒体の紙管に内接してラベルロール媒体を保持する保持部２０と、紙管の近接領域に設けるメモリ情報を読み出すリーダと、内部の温度を測定して出力する温度センサと、内部の湿度を測定して出力する湿度センサと、メモリ情報と温度及び湿度センサの出力情報を入力し、内部温度及び湿度が使用温度及び湿度条件範囲内にあるか否かの判定を行なう環境コントロール部とを備える。【選択図】        図１
2009208776.tif 000002
【特許請求の範囲】
【請求項１】
使用環境により影響を受ける粘着材を用いたラベルが貼り付けられたラベルロール媒体であって、上記ラベルロール媒体の紙管部に、上記ラベルロール媒体の使用温度域情報及び使用湿度域情報が設定されたメモリを有するＩＣチップと当該メモリ情報を外部に出力できるアンテナとからなるインレットを備えるラベルロール媒体と、
上記ラベルロール媒体の紙管に内接してラベルロール媒体を保持する保持部と、
上記紙管の近接領域に設ける上記メモリ情報を読み出すリーダと、
内部の温度を測定して出力する温度センサと、
内部の湿度を測定して出力する湿度センサと、
上記メモリ情報と上記温度及び湿度センサの出力情報を入力し、内部温度及び湿度が使用温度及び湿度条件範囲内にあるか否かの判定を行なう環境コントロール部とを備えるラベルロール媒体設置部。
【請求項２】
上記環境コントロール部の判定に応じて、加温又は冷却処理を行なう温度調節部と加湿及び除湿処理を行なう湿度調節部とを備えることを特徴とする請求項１記載のラベルロール媒体設置部。
【請求項３】
使用環境により影響を受ける粘着材を用いたラベルが貼り付けられたラベルロール媒体であって、上記ラベルロール媒体の紙管部に、上記ラベルロール媒体の使用温度域情報及び使用湿度域情報が設定されたメモリを有するＩＣチップと当該メモリ情報を外部に出力できるアンテナとからなるインレットを備えるラベルロール媒体と、上記ラベルロール媒体の紙管に内接してラベルロール媒体を保持する保持部と、上記紙管の近接領域に設ける上記メモリ情報を読み出すリーダと、内部の温度を測定して出力する温度センサと、内部の湿度を測定して出力する湿度センサと、上記メモリ情報と上記温度及び湿度センサの出力情報を入力し、内部温度及び湿度が使用温度及び湿度条件範囲内にあるか否かの判定を行なう環境コントロール部とを備えるラベルロール媒体設置部と、
上記ラベルロール媒体設置部から上記ラベルロール媒体を搬送する搬送動力部と、
搬送されるラベルに画像を形成するプリンタヘッドとを備えるラベルプリンタ。
【請求項４】
上記環境コントロール部の判定に応じて、加温又は冷却処理を行なう温度調節部と加湿及び除湿処理を行なう湿度調節部とを備えることを特徴とする請求項３記載のラベルプリンタ。
【発明の詳細な説明】
【技術分野】
【０００１】
本発明は、ラベルロール媒体の適正な使用環境を提供することができるラベルロール媒体設置部及びラベルプリンタに関する。詳しくは、ラベルロール媒体の使用温度域及び使用湿度域に環境を調節できるラベルロール媒体設置部及びラベルプリンタに関する。
【背景技術】
【０００２】
従来のラベル使用環境を考慮する技術としては、使用環境に応じた制御方法に関するものが開示されている。例えば、特許文献１に示されるように、実環境（温度、湿度）に即して機構動作を制御するものである。この文献においては、ラベルの剥離動作に注目し、実環境においてどのような動作制御をすれば、ラベルを効率よく剥離できるかが述べられている。
しかし、この技術は、ラベル自体の使用環境を考慮している訳ではなく、剥離動作の効率性にのみ的を絞った技術である。使用環境によるラベルに塗布された粘着材の性質変化を考慮したものではない。あくまでも、一定の粘着性を保持していることを前提にして考えられた技術である。すなわち、ラベル接着能が使用実環境依存という根本的な問題を解消するものではない。
【０００３】
【特許文献１】特開２００５−３０６４４６号公報
【発明の開示】
【発明が解決しようとする課題】
【０００４】
本発明は以上のような諸問題にかんがみなされたもので、ラベル接着能が使用実環境依存という根本的な問題を解消するため、人為的にラベルの粘着材が変性し難い環境を形成し、ラベルロール媒体の品質を長期間維持することを課題とする。
【０００５】
また本発明は、適切な使用環境において、印字処理を行なえるラベルプリンタを提供することを課題とする。
【課題を解決するための手段】
【０００６】
すなわち本発明は、使用環境により影響を受ける粘着材を用いたラベルが貼り付けられたラベルロール媒体であって、ラベルロール媒体の紙管部に、ラベルロール媒体の使用温度域情報及び使用湿度域情報が設定されたメモリを有するＩＣチップとメモリ情報を外部に出力できるアンテナとからなるインレットを備えるラベルロール媒体と、ラベルロール媒体の紙管に内接してラベルロール媒体を保持する保持部と、紙管の近接領域に設けるメモリ情報を読み出すリーダと、内部の温度を測定して出力する温度センサと、内部の湿度を測定して出力する湿度センサと、メモリ情報と上記温度及び湿度センサの出力情報を入力し、内部温度及び湿度が使用温度及び湿度条件範囲内にあるか否かの判定を行なう環境コントロール部とを備えるラベルロール媒体設置部を提供する。
環境コントロール部において、メモリの使用温度域情報及び使用湿度域情報と、実環境の温度及び湿度が比較される。この比較により、ラベルロール媒体設置部が、ラベルロール媒体の使用環境に適切であるか否かの判断が行なわれる。
【０００７】
更に、環境コントロール部の判定に応じて、加温又は冷却処理を行なう温度調節部と加湿及び除湿処理を行なう湿度調節部とを備えるラベルロール媒体設置部を提供する。
ラベルロール媒体設置部は、内部環境が設置するラベルロール媒体の使用温度域内及び使用湿度域内になるように温度調節及び湿度調節を行なう。
【０００８】
また、本発明は、使用環境により影響を受ける粘着材を用いたラベルが貼り付けられたラベルロール媒体であって、ラベルロール媒体の紙管部に、ラベルロール媒体の使用温度域情報及び使用湿度域情報が設定されたメモリを有するＩＣチップとメモリ情報を外部に出力できるアンテナとからなるインレットを備えるラベルロール媒体と、ラベルロール媒体の紙管に内接してラベルロール媒体を保持する保持部と、紙管の近接領域に設けるメモリ情報を読み出すリーダと、内部の温度を測定して出力する温度センサと、内部の湿度を測定して出力する湿度センサと、メモリ情報と温度及び湿度センサの出力情報を入力し、内部温度及び湿度が使用温度及び湿度条件範囲内にあるか否かの判定を行なう環境コントロール部とを備えるラベルロール媒体設置部と、ラベルロール媒体設置部からラベルロール媒体を搬送する搬送動力部と、搬送されるラベルに画像を形成するプリンタヘッドとを備えるラベルプリンタを提供する。
環境コントロール部において、メモリの使用温度域情報及び使用湿度域情報と、実環境の温度及び湿度が比較される。この比較により、ラベルロール媒体設置部が、ラベルロール媒体の使用環境に適切であるか否かの判断が行なわれる。このことは、印字環境の適否にも関連する。
【０００９】
更に、環境コントロール部の判定に応じて、加温又は冷却処理を行なう温度調節部と加湿及び除湿処理を行なう湿度調節部とを備えるラベルプリンタを提供する。
ラベルロール媒体設置部において、内部環境が設置するラベルロール媒体の使用温度域内及び使用湿度域内になるように温度調節及び湿度調節を行なっているので、使用環境に即した状態で、印字処理が行なわれる。
【発明の効果】
【００１０】
ラベルロール媒体の使用環境が提供されることにより、実環境との差異が明確になる。すなわち、使用環境に適合させるための目標が容易に定められ、容易に環境の調節を行なうことができる。
また、使用環境と実環境との差異を無くする為に、温度及び湿度調節を行なわせることができる。フィードバック制御を用いれば、容易に適切なラベルロール媒体の使用環境を維持することができる。
以上のごとく、ラベル接着能が使用実環境に依存するという根本的な問題を解消するため、人為的にラベルの粘着材が変性し難い環境を形成し、ラベルロール媒体の品質を長期間維持することができる。
また、ラベルロール媒体の適切な使用環境において、印字処理を行なうことができる。
【発明を実施するための最良の形態】
【００１１】
つぎに本発明の実施の形態によるラベルロール媒体設置部及びラベルプリンタを図１乃至図４に基づいて説明する。    
本発明のラベルロール媒体設置部に設置されるラベルロール媒体１０は、図２（Ａ）、（Ｂ）に示すように、紙管部１１に、使用温度域情報及び使用湿度域情報が設定されたメモリを有するＩＣチップ１２とメモリ情報を外部に出力できるアンテナ１３とからなるインレット１４を備えている。インレット１４は、紙管内部に埋設されていても、紙管１１の外側や内側に配置されていてもよい。使用温度域情報及び使用湿度域情報は、ラベルロール媒体１０がラベルロール媒体設置部１００に設置されて読み出し可能になる。
なお、ラベルロール媒体１０のラベルは、ロール台紙上に粘着材にて連続的に貼り付けられている。ラベルと粘着材の粘着力とは、特に温度及び湿度の影響により影響を受け易く使用条件（使用期限、使用温度域情報及び使用湿度域情報）が定められている。
【００１２】
図１は、ラベルロール媒体設置部１００におけるラベルロール媒体１０と機能ブロックとを連携させた説明図である。ここで、ラベルロール媒体１０は、中央の水平断面図として現わしている。
図１に示すように、ラベルロール媒体設置部１００は、ラベルロール媒体１０の紙管１１に内接してラベルロール媒体１０を保持する保持部２０（ラベルロール媒体１０と同様、中央の水平断面図として現わしている）と、紙管１１の近接領域に設けるメモリ情報を読み出すリーダ２１と、内部の温度を測定して出力する温度センサ２２と、内部の湿度を測定して出力する湿度センサ２３と、メモリ情報と温度及び湿度センサの出力情報を入力し、内部温度及び湿度が使用温度及び湿度条件範囲内にあるか否かの判定を行なう環境コントロール部２４とを備える。
【００１３】
保持部２０は、紙管１１の内側を係止する円筒部とラベルロール媒体１０の一側面を押さえる押さえ部材からなり、ラベルロール部材１０を保持する。
リーダ２１は、紙管１１に設けられたインレット１４のメモリ情報（使用温度域情報及び使用湿度域情報）を読み取り可能に、押さえ部材と反対側面位置に設けられ、所定の電場を形成することにより、メモリの情報を読み取る。
温度センサ２２及び湿度センサ２３は、ラベルロール媒体１０が在る空間に配置し、環境コントロール部２４に接続されている。
環境コントロール部２４には、リーダ２１で読み取られた使用温度域情報及び使用湿度域情報が設定される。また、環境コントロール部２４は、所定のタイミングで温度センサ２２及び湿度センサ２３から実環境情報（温度情報及び湿度情報）を取得し、ラベルロール媒体１０の設置場所の実環境とメモリ情報との比較を行なう。
【００１４】
更に、ラベルロール媒体設置部１００は、環境コントロール部２４の判定（実環境情報とメモリ情報との比較）に応じて、加温又は冷却処理を行なう温度調節部２５と加湿及び除湿処理を行なう湿度調節部２６とを備える。
温度調節部２５としては、通常のエアコン等を用いることができる。
湿度調節部２６としては、除加湿空気清浄機等を用いることができる。空気清浄機能を加えることにより、紙粉等の集塵効果も得られる。
また、ラベルロール媒体設置部１００の温度及び湿度を均一に保つために送風機を備えることもできる。
【００１５】
図３には、ラベルロール媒体設置部１００の使用環境制御フローを示す。
先ず、ラベルロール媒体１０のインレット１４のメモリ情報がリーダ２１で読取られ環境コントロール部２４に設定される（Ａ）。
次いで、環境コントロール部２４は、所定のタイミングで実環境情報を取得する（Ｂ）。
取得したメモリ情報と実環境情報との比較を行なう（Ｃ）。
温度比較において、環境コントロール部２４は、実環境情報の温度が使用温度域より高い場合には冷却処理を、実環境情報の温度が使用温度域より低い場合には加温処理を温度調節部２５に指示する（Ｄ）。実環境情報の温度が使用温度域内にある場合には、温度調節部２５を停止する。
【００１６】
湿度比較において、環境コントロール部２４は、実環境情報の湿度が使用湿度域より高い場合には除湿処理を、実環境情報の湿度が使用湿度域より低い場合には加湿処理を湿度調節部２６に指示する（Ｅ）。実環境情報の湿度が使用湿度域内にある場合には、湿度調節部２５を停止する。
実環境情報は一定の間隔で環境コントロール部２４にフィードバックされている。すなわち、ラベルロール媒体設置部１００の内部環境は、恒常的に使用温度域及び使用湿度域内に保たれる。
【００１７】
図４には、ラベルロール媒体設置部１００を利用したラベルプリンタの構成図を示す。
ラベルプリンタ２００は、ラベルロール媒体設置部１００からラベルロール媒体１０を搬送する搬送動力部３０と、搬送されるラベルに画像を形成するプリンタヘッド４０とを備える。ラベルロール媒体設置部１００には、ラベルロール媒体を搬送するためのスリット５０が設けられている。
恒常的に使用環境が維持されているラベルロール媒体設置部１００からラベルが供給されるので、得られるラベルは印字品質及び粘着強度に優れる。
【００１８】
以上の如く、本発明のラベルロール媒体設置部は、ラベルロール媒体のメモリ情報に応じた実環境を調節することができる。ラベルロール媒体の設置場所の実環境の影響を人為的に調節してラベルロール媒体に適した環境を形成することができるので、ラベルの性能を変性させることなく維持させることができる。
また、本発明のラベルプリンタは、性能を維持したラベルを用いて画像形成を行なうことができるので優れた印字品質を提供することができる。
また、ラベルロール媒体設置部の範囲をラベルロール媒体の設置位置に限定することなく、ラベルプリンタにおいて剥離板まで広げることにより、印字品質及び粘着力がより優れたラベルを提供することができる。
【図面の簡単な説明】
【００１９】
【図１】本発明の実施の形態に係るラベルロール媒体設置部の説明図。
【図２】本発明の実施の形態に係るラベルロール媒体と無線媒体の説明図。
【図３】本発明の実施の形態に係るラベルロール媒体設置部の制御フロー図
【図４】本発明の実施の形態に係るラベルプリンタの構成図。
【符号の説明】
【００２０】
１００  ラベルロール媒体設置部
２００  ラベルプリンタ
１０    ラベルロール媒体
１１    紙管
１２    ＩＣチップ
１３    アンテナ
１４    インレット
２０    押さえ部材
２１    リーダ
２２    温度センサ
２３    湿度センサ
２４    環境コントロール部
２５    温度調節部
２６    湿度調節部
３０    搬送動力部
４０    プリンタヘッド
５０    スリット
【図１】
2009208776.tif 000003
【図２】
2009208776.tif 000004
【図３】
2009208776.tif 000005
【図４】
2009208776.tif 000006